(57)【要約】【課題】汎用的なプリペイドカードを自己の希望する特定のプリペイドカードに転用できるシステムの提供。【解決手段】文字列に金額情報を関連付けたＰＩＮ番号を格納しておくＰＩＮ番号ＤＢ４９と、ＰＩＮ番号が記録された汎用プリペイドカード５１と、複数の専用プリペイドカードに関する情報を格納しておくプリペイドカード情報ＤＢ６３と、カード発行端末１４から入力されたＰＩＮ番号に関連付けられた残高をユーザの保有金額と認定する認証処理部６１と、ディスプレイ３６に専用プリペイドカードのリストを表示させ、希望の専用プリペイドカードの選択を求める手段と、プリペイドカードの選択情報が入力された場合に、必要情報を端末１４に送信する手段と、当該情報をカードに印刷して専用プリペイドカード７６を形成するカード発行部６６と、その額面分をＰＩＮ番号の金額情報から減算する手段とを備えたシステム１０。【選択図】        図５
2004157597.tif 000002
【特許請求の範囲】
【請求項１】
所定桁数の文字列に一定の金額情報を関連付けた汎用カード番号を格納しておく汎用カード番号データベースと、
当該汎用カード番号が記録された汎用プリペイドカードと、
発行可能な複数の専用プリペイドカードに関する情報を格納しておく専用プリペイドカードデータベースと、
ユーザの操作する端末から上記汎用プリペイドカードに記録された汎用カード番号が入力された場合に、上記汎用カード番号データベースを検索し、当該汎用カード番号に関連付けられた残高を当該ユーザの保有金額と認定する手段と、
上記端末のディスプレイに発行可能な専用プリペイドカードのリストを表示させて、発行を希望する専用プリペイドカードの選択を求める手段と、
上記端末から特定のプリペイドカードの選択情報が入力された場合に、当該プリペイドカードの発行に必要な情報を上記専用プリペイドカードデータベースから抽出し、当該端末に送信する手段と、
送信された上記情報を所定の媒体に記録して専用プリペイドカードを形成する手段と、
当該専用プリペイドカードの額面分を上記汎用カード番号の金額情報から減算し、その残高を上記汎用カード番号データベースに更新登録する手段と、
を備えたことを特徴とするプリペイドカード発行システム。
【請求項２】
上記端末から複数の汎用カード番号が連続的に入力された場合に、上記汎用カード番号データベースを検索し、各汎用カード番号に関連付けられた残高の合計金額を当該ユーザの保有金額と認定する手段を備えたことを特徴とする請求項１に記載の情報カード発行システム。
【請求項３】
ユーザが選択した専用プリペイドカードの額面が、当該ユーザの保有金額よりも高額である場合に、上記端末のディスプレイにその差額を精算するための決済種別選択画面を表示させる手段と、
上記端末の入力手段を通じて現金決済を選択する情報が入力された場合に、現金の支払いを促すメッセージを上記端末に送信する手段と、
上記差額分の現金が支払われたことを示す情報が入力された場合に、当該専用プリペイドカードの発行に必要な情報を上記専用プリペイドカードデータベースから抽出し、上記端末に送信する手段と、
を備えたことを特徴とする請求項１または２に記載のプリペイドカード発行システム。
【請求項４】
ユーザが選択した専用プリペイドカードの額面が、当該ユーザの保有金額よりも高額である場合に、上記端末のディスプレイにその差額を精算するための決済種別選択画面を表示させる手段と、
上記端末の入力手段を通じてクレジットカード決済あるいはプリペイドカード決済を選択する情報が入力された場合に、決済に必要なクレジットカード情報あるいはプリペイドカード情報の入力を促すメッセージを上記端末に送信する手段と、
上記端末の入力手段を通じて必要なカード情報が入力された場合に、当該カード情報及び決済金額情報をカード会社のコンピュータシステムに送信して、当該カードによる決済の可否を照会する手段と、
上記コンピュータシステムから肯定的な判断を示す情報が送信された場合に、当該専用プリペイドカードの発行に必要な情報を上記専用プリペイドカードデータベースから抽出し、上記端末に送信する手段と、
を備えたことを特徴とする請求項１または２に記載のプリペイドカード発行システム。
【請求項５】
上記汎用プリペイドカードが、カード基板の表面に上記汎用カード番号を印字させたものよりなり、
当該カード番号が上記端末の入力手段を介して手動で入力されることを特徴とする請求項１〜４の何れかに記載のプリペイドカード発行システム。
【請求項６】
上記汎用プリペイドカードが、ＩＣカードのメモリ内に上記汎用カード番号を格納させたものよりなり、
当該カード番号が上記端末に接続されたＩＣカードリーダを介して入力されることを特徴とする請求項１〜４の何れかに記載のプリペイドカード発行システム。
【請求項７】
上記汎用プリペイドカードが、磁気カードの磁気記録部に上記汎用カード番号を記録させたものよりなり、
当該カード番号が上記端末に接続された磁気カードリーダを介して入力されることを特徴とする請求項１〜４の何れかに記載のプリペイドカード発行システム。
【請求項８】
カード基板の表面に、所定の金額情報と関連付けられた文字列を印字することによって上記専用プリペイドカードが形成されることを特徴とする請求項１〜７の何れかに記載のプリペイドカード発行システム。
【請求項９】
ＩＣカードのメモリ内に、所定の金額情報と関連付けられた文字列情報を記録することによって上記専用プリペイドカードが形成されることを特徴とする請求項１〜７の何れかに記載のプリペイドカード発行システム。
【請求項１０】
磁気カードの磁気記録部に、所定の金額情報と関連付けられた文字列情報を記録することによって上記専用プリペイドカードが形成されることを特徴とする請求項１〜７の何れかに記載のプリペイドカード発行システム。
【発明の詳細な説明】
【０００１】
【発明の属する技術分野】
この発明はプリペイドカード発行システムに係り、特に、一定の金銭的価値が付与された文字列を備えた汎用プリペイドカードをユーザに配布しておき、この文字列を入力することによってユーザが所望の専用プリペイドカードを入手することを可能とするシステムに関する。
【０００２】
【従来の技術】
現在、国際通話専用のプリペイドカードが普及している。これは、利用者が着信者の「国番号及＋市外局番（エリア・コード／地域番号）＋相手先電話番号（市内局番＋加入者番号）」の入力に先だって、当該プリペイドカードに記入されたカード番号（所定桁数の文字列）を携帯電話等から入力することにより、カード度数の範囲内で海外と通話をすることが可能となるシステムである。
このプリペイドカードは、国際通話サービスを提供する通信事業者が発行し、コンビニエンス・ストア（以下「コンビニ」）等において販売されている。
このプリペイドカードにあっては、事前に支払った金額の範囲内でしか通話ができない仕組みであるため、通信事業者にとっては通話料の貸倒が発生する危険性が一切ない利点があり、利用者にとっては国際電話の掛け過ぎを防止できる利点がある。
【０００３】
また、度数の範囲内でインターネット通信を楽しめるインターネット専用のプリペイドカードや、度数の範囲内でオンラインショッピングやネットゲームが可能となるＷｅｂマネーなども登場している。
これらの場合、代金の決済に際しユーザがパソコン等の通信端末からプリペイドカードに記載されたカード番号をインターネット経由で送信すると、サーバ側で当該カード番号の残高照会が実行され、残高が十分ある場合にはその一部を代金に充当することで決済が完了する仕組みである。
【０００４】
その他にも、テレホンカードやメトロカード、ハイウェイカード、図書券カードといった各種プリペイドカードが従来から利用されている。鉄道利用のための定期券も、一種のプリペイドカードといえる。
また、一口にプリペイドカードといっても、カード番号が表面に印刷された紙製カードの他に、磁気的手段によってプリペイド情報の記録・更新が実現される磁気カード型プリペイドカードや、ＩＣチップ内にプリペイド情報が格納されるＩＣカード型プリペイドカードも存在している。
【０００５】
【発明が解決しようとする課題】
上記のように、現在においては各種プリペイドカードが大量に出回っており、現金やクレジットカードに代わる決済手段として広く利用されている。
このプリペイドカードの利便性に着目し、販売促進ツールや記念品として活用される機会も増加している。例えば、新製品の発表会場において、来場者に製品のイラストが印刷されたテレホンカードを配布したり、結婚式の引き出物として新郎新婦の写真が印刷された商品券カードを列席者に配布することが行われている。
【０００６】
しかしながら、現状では発行主体毎に異なった種類のプリペイドカードがバラバラに配布されており、いわゆるオールマイティなプリペイドカードが存在しないため、受け取った側が十分な満足を得られない場合も多い。
例えば、地下鉄をほとんど利用しない者にメトロカードを贈っても無意味であるし、携帯電話を所持する者にとってテレホンカードは無用の長物となる。
【０００７】
この発明は、従来の上記問題点を解決するために案出されたものであり、汎用的なプリペイドカードを受け取った者が、これを自己の希望する特定のプリペイドカードに自由に転用可能とするプリペイドカード発行システムを提供することを目的としている。
【０００８】
【課題を解決するための手段】
上記の目的を達成するため、請求項１に記載のプリペイドカード発行システムは、所定桁数の文字列に一定の金額情報を関連付けた汎用カード番号を格納しておく汎用カード番号データベースと、当該汎用カード番号が記録された汎用プリペイドカードと、発行可能な複数の専用プリペイドカードに関する情報を格納しておく専用プリペイドカードデータベースと、ユーザの操作する端末から上記汎用プリペイドカードに記録された汎用カード番号が入力された場合に、上記汎用カード番号データベースを検索し、当該汎用カード番号に関連付けられた残高を当該ユーザの保有金額と認定する手段と、上記端末のディスプレイに発行可能な専用プリペイドカードのリストを表示させて、発行を希望する専用プリペイドカードの選択を求める手段と、上記端末から特定のプリペイドカードの選択情報が入力された場合に、当該プリペイドカードの発行に必要な情報を上記専用プリペイドカードデータベースから抽出し、当該端末に送信する手段と、送信された上記情報を所定の媒体に記録して専用プリペイドカードを形成する手段と、当該専用プリペイドカードの額面分を上記汎用カード番号の金額情報から減算し、その残高を上記汎用カード番号データベースに更新登録する手段とを備えたことを特徴としている。
【０００９】
このシステムによれば、ユーザは端末から汎用プリペイドカードの番号を入力することにより、複数種類の専用プリペイドカードの中で自己の希望するものを端末側で自由に入手することが可能となり、しかも当該汎用カード番号に関連付けられた金額情報を専用プリペイドカード購入費用（交換費用）の決済に利用できることとなる。
この結果、ユーザに対してオールマイティなプリペイドカードを実質的に付与することが可能となる。
【００１０】
専用プリペイドカードの形成方法としては、様々なものが想定される。例えば、国際通話カードのようにカード番号が重要であり、カード自体は単なるカード番号の担体に過ぎないプリペイドカードの場合には、紙や樹脂製のカードの表面にカード番号を特殊プリンタを用いて印刷することによって専用プリペイドカードとなすことができる。あるいは、汎用のプリンタを用いて単なる紙片にカード番号を印刷することで専用プリペイドカードを形成することもできる。
これに対し、テレホンカードやメトロカードのように、使用に際して所定の情報が記録されたカードの存在が前提となるプリペイドカードの場合には、磁気カードやＩＣカードに所定の情報を記録することによって専用プリペイドカードが形成される。
上記端末に専用プリペイドカードのカード番号を送信するに際しては、電子メールを用いることもできる。この場合、まず本文欄に当該カード番号が記述された電子メールを、ユーザのアドレスに宛てて送信する。これをユーザが上記端末で受信した後に開封し、プリンタで印刷すれば専用プリペイドカードとして利用可能となる。
【００１１】
請求項２に記載のプリペイドカード発行システムは、上記端末から複数の汎用カード番号が連続的に入力された場合に、上記汎用カード番号データベースを検索し、各汎用カード番号に関連付けられた残高の合計金額を当該ユーザの保有金額と認定する手段を備えたことを特徴としている。
この結果、小額の汎用プリペイドカードを多数集めて高額の専用プリペイドカードに交換することが可能となり、ユーザの利便性が高まる。
【００１２】
請求項３に記載の情報カード発行システムは、ユーザが選択した専用プリペイドカードの額面が、当該ユーザの保有金額よりも高額である場合に、上記端末のディスプレイにその差額を精算するための決済種別選択画面を表示させる手段と、上記端末の入力手段を通じて現金決済を選択する情報が入力された場合に、現金の支払いを促すメッセージを上記端末に送信する手段と、上記差額分の現金が支払われたことを示す情報が入力された場合に、当該専用プリペイドカードの発行に必要な情報を上記専用プリペイドカードデータベースから抽出し、上記端末に送信する手段とを備えたことを特徴としている。
この結果、小額の汎用プリペイドカードを入手したユーザは、差額を現金で支払うことを条件に、より高額の専用プリペイドカードを入手することが可能となる。
【００１３】
請求項４に記載のプリペイドカード発行システムは、ユーザが選択した専用プリペイドカードの額面が、当該ユーザの保有金額よりも高額である場合に、上記端末のディスプレイにその差額を精算するための決済種別選択画面を表示させる手段と、上記端末の入力手段を通じてクレジットカード決済あるいはプリペイドカード決済を選択する情報が入力された場合に、決済に必要なクレジットカード情報あるいはプリペイドカード情報の入力を促すメッセージを上記端末に送信する手段と、上記端末の入力手段を通じて必要なカード情報が入力された場合に、当該カード情報及び決済金額情報をカード会社のコンピュータシステムに送信して、当該カードによる決済の可否を照会する手段と、上記コンピュータシステムから肯定的な判断を示す情報が送信された場合に、当該専用プリペイドカードの発行に必要な情報を上記専用プリペイドカードデータベースから抽出し、上記端末に送信する手段とを備えたことを特徴としている。
この結果、小額の汎用プリペイドカードを入手したユーザは、差額をクレジットカードやプリペイドカードで決済することを条件に、より高額の専用プリペイドカードを入手することが可能となる。
【００１４】
請求項５に記載のプリペイドカード発行システムは、上記汎用プリペイドカードがカード基板の表面に上記汎用カード番号を印字させたものよりなり、当該カード番号が上記端末の入力手段を介して手動で入力されることを特徴としている。
【００１５】
請求項６に記載のプリペイドカード発行システムは、上記汎用プリペイドカードがＩＣカードのメモリ内に上記汎用カード番号を格納させたものよりなり、当該カード番号が上記端末に接続されたＩＣカードリーダを介して入力されることを特徴としている。
【００１６】
請求項７に記載のプリペイドカード発行システムは、上記汎用プリペイドカードが磁気カードの磁気記録部に上記汎用カード番号を記録させたものよりなり、当該カード番号が上記端末に接続された磁気カードリーダを介して入力されることを特徴としている。
【００１７】
請求項８に記載のプリペイドカード発行システムは、カード基板の表面に、所定の金額情報と関連付けられた文字列を印字することによって上記専用プリペイドカードが形成されることを特徴としている。
【００１８】
請求項９に記載のプリペイドカード発行システムは、ＩＣカードのメモリ内に、所定の金額情報と関連付けられた文字列情報を記録することによって上記専用プリペイドカードが形成されることを特徴としている。
【００１９】
請求項１０に記載のプリペイドカード発行システムは、磁気カードの磁気記録部に、所定の金額情報と関連付けられた文字列情報を記録することによって上記専用プリペイドカードが形成されることを特徴としている。
【００２０】
【発明の実施の形態】
図１は、この発明に係るプリペイドカード発行システム１０の全体イメージを示すものであり、このシステムの運用者が管理するセンターサーバ１２と、全国各地のコンビニや駅構内、ショッピングモール内に設置されたカード発行端末１４と、専用プリペイドカードの発行者（鉄道会社、電話会社、流通業者等）が管理するローカルサーバ１６と、クレジットカード会社が管理するホストコンピュータ１８と、汎用プリペイドカードの発注者（商社や広告代理店等）が管理するパーソナルコンピュータ（以下「パソコン」）２０と、汎用プリペイドカードのユーザが管理するパソコン２２とを備えている。
【００２１】
上記センターサーバ１２は、メインフレームやワークステーション等のコンピュータシステムより構成される。
また、上記カード発行端末１４は、パソコン類似のコンピュータシステムよりなり、図２に示すように、ＣＰＵ３０と、システムバス３１によってＣＰＵ３０と接続されたＲＡＭ３２、ＲＯＭ３３、ハードディスク３４、通信インターフェイス３５、タッチパネル付きのディスプレイ３６、現金取扱ユニット３７、クレジットカードリーダ３８、カードストッカ３９、ＩＣカード・リーダライタ４０、磁気カード・リーダライタ４１、カード搬送機構４２、カードプリンタ４３等を備えている。
上記ハードディスク３４やＲＯＭ３３内には専用のアプリケーションプログラムが格納されており、このプログラムをＣＰＵ３０が実行することにより、カード発行端末１４はこのシステム１０の一部として機能することとなる。
センターサーバ１２とカード発行端末１４との間は、専用回線を介してネットワーク接続されている。
【００２２】
上記ローカルサーバ１６は、ワークステーション等のコンピュータシステムよりなり、専用回線を介してセンターサーバ１２とネットワーク接続されている。
なお、各専用プリペイドカード発行者とこのシステム１０の運用者との間では、事前に業務委託契約が締結されている。
また、上記クレジットカード会社のホストコンピュータ１８も、メインフレーム等のコンピュータシステムよりなり、専用回線やＣＡＦＩＳ等の決済ネットワークを介してセンターサーバ１２と接続されている。
上記カード発注者の管理するパソコン２０、及びユーザの管理するパソコン２２は、共にインターネット４４を介してセンターサーバ１２にネットワーク接続される。
【００２３】
図３は、汎用プリペイドカードの発行処理に係るブロック図であり、センターサーバ１２は、受注処理部４５と、ＰＩＮ番号（汎用プリペイドカード番号）生成部４６と、カード生成処理部４７と、受注データベース４８と、ＰＩＮ番号データベース（汎用カード番号データベース）４９とを備えている。
上記受注処理部４５、ＰＩＮ番号生成部４６、及びカード生成処理部４７は、センターサーバ１２を構成するコンピュータのＣＰＵが、ＯＳ及び専用プログラムに従って必要な処理を実行することによって実現される。
また、受注データベース４８及びＰＩＮ番号データベース４９は、同コンピュータのハードディスク内に格納されている。
【００２４】
まず、広告代理店や商社等のカード発注者は、パソコン２０からインターネット４４経由でセンターサーバ１２にアクセスし、汎用プリペイドカードの製作・納入を依頼する。
この発注に際しては、少なくとも以下の事項について特定される。
（１）  額面（５００円、１，０００円、２，０００円、３，０００円等の種別）
（２）  発行枚数
（３）  表面デザイン
これらの中、（３）  の表面デザインの特定については、画像データやテキストデータの送信によって実現される。
【００２５】
これを受けた受注処理部４５は、上記の受注情報を発注者のコードに関連付けて受注データベース４８内に格納すると共に、ＰＩＮ番号生成部４６に対して枚数分のＰＩＮ番号の生成を指令する。
ＰＩＮ番号生成部４６は、所定桁数のユニークな文字列に上記額面を関連付けたＰＩＮ番号を生成し、各ＰＩＮ番号を受注ＩＤに関連付けた上でＰＩＮ番号データベース４９内に格納する。
なお、カード発注者は、電話やＦＡＸ等で汎用プリペイドカードの発注を行うこともできる。この場合、システム１０のオペレータがパソコン等の端末を操作して発注情報を受注データベース４８内に格納する。
【００２６】
つぎに、カード生成処理部４７が起動し、受注データベース４８内に格納された受注情報及びＰＩＮ番号データベース４９内に格納されたＰＩＮ番号を元に汎用プリペイドカード印刷用のデータを生成し、専用プリンタ５０に渡す。
この専用プリンタ５０において、汎用プリペイドカードが印刷される。
図４は汎用プリペイドカード（以下「オールマイティカード５１」と称する）の一例を示すものであり、その表面（図４（ａ））には商品の画像や宣伝文句等、カード発注者が指定したデザインが印刷されている。また、裏面（図４（ｂ））には、特殊な皮膜によって被覆された隠蔽領域（スクラッチ領域）５２があり、この皮膜を指やコイン等で擦り落とすことによってカード番号が出現する。
【００２７】
専用プリンタ５０から出力されたオールマイティカード５１は、通常の物流ルートを介してカード発注者のもとに搬送される。
カード発注者は、配送されたオールマイティカード５１を顧客企業に納め、顧客企業は各オールマイティカード５１を記念品等として自社のユーザに配布する。
オールマイティカード５１の発行に係る費用は、後日、システム運用者からカード発注者に対して請求される。
【００２８】
図５は、ユーザがオールマイティカード５１を用いて特定用途のプリペイドカード（専用プリペイドカード）を入手する際の機能構成を示すブロック図である。この際、センターサーバ１２は、画面生成部６０と、認証処理部６１と、プリペイドカード発行処理部６２と、ＰＩＮ番号データベース４９と、プリペイドカード情報データベース６３とを備えている。
上記画面生成部６０、認証処理部６１、及びプリペイドカード発行処理部６２は、センターサーバ１２を構成するコンピュータのＣＰＵが、ＯＳ及び専用プログラムに従って必要な処理を実行することによって実現される。
また、プリペイドカード情報データベース６３は、同コンピュータのハードディスク内に格納されている。
このプリペイドカード情報データベース６３内には、専用プリペイドカード発行者のローカルサーバ１６から送信されたプリペイドカード情報が格納されている。
ここで「プリペイドカード情報」とは、このシステム１０を通じてユーザに発行可能な専用プリペイドカードの種類や額面に関する情報を意味する。
【００２９】
これに対し、プリペイドカード発行端末１４は、表示部６４と、入力部６５と、カード発行部６６とを備えている。
図６はプリペイドカード発行端末１４の外観を示しており、筐体６７の正面上部にはタッチパネル付ディスプレイ３６が配置されており、その下にはクレジットカード摺動用のスリット６８と、ＩＣカード挿入口６９と、磁気カード挿入口７０と、紙幣投入口７１と、硬貨投入口７２と、紙片返却口７３と、硬貨返却口７４と、カード排出口７５とが設けられている。
これらの中、タッチパネル付きディスプレイ３６が、上記表示部６４及び入力部６５としての機能を主として果たすこととなる。
また、カード発行部６６は、プリペイドカード発行端末１４内のカードストッカ３９、カード搬送機構４２、カードプリンタ４３、ＩＣカード・リーダライタ４０、磁気カード・リーダライタ４１によって構成される。なお、ＩＣカード・リーダライタ４０や磁気カード・リーダライタ４１は、入力部６５として機能する場合もある（詳細後述）。
【００３０】
以下、図７〜図１２の画面レイアウト図及び図１３のフローチャートに従い、ユーザがオールマイティカード５１を用いて専用プリペイドカードを入手する際の処理手順について説明する。
まずユーザは、支給されたオールマイティカード５１を持参して、最寄りのカード発行端末１４の設置場所に出向く。
つぎにユーザは、発行端末１４のディスプレイ３６を指で操作し、オールマイティカード５１を用いたプリペイドカード発行サービスを選択する。
これを受けたセンターサーバ１２の画面生成部６０からは、オールマイティカード５１に印刷されたカード番号の入力を求める画面イメージ（画像ファイル）が送信され、図７に示すように、発行端末１４のディスプレイ３６上に表示される（Ｓ１０）。
【００３１】
これに対しユーザは、ディスプレイ３６上に表示された数字キーを指でタッチすることにより、オールマイティカード５１の裏面に記載されたカード番号を入力する。
この際、複数のオールマイティカード５１を所持している場合には、「連続入力」ボタンをタッチし、続けて他のカード番号を入力し、最後に「確認」ボタンをタッチする。
これを受けた認証処理部６１は（Ｓ１２）、ユーザが入力したカード番号を基にＰＩＮ番号データベース４９内を検索し、該当のＰＩＮ番号に関連付けられた金額（残高）を確認する（Ｓ１４）。
つぎに、画面生成部６０からプリペイドカードの種別の選択を促す画面イメージが送信され、図８に示すように、発行端末１４のディスプレイ３６上に表示される（Ｓ１６）。この画面の下欄には、現時点でユーザが保有しているトータル残高が表示されている。
【００３２】
この中からユーザが「国際通話」をタッチしてプリペイドカードの種別を選択すると、これを受けた画面生成部６０は（Ｓ１８）、プリペイドカードの発行事業者の選択を求める画像イメージを生成し、発行端末１４に送信する。
この結果、図９に示すように、各通信事業者が発行している国際通話用プリペイドカードが列挙された画面が発行端末１４のディスプレイ３６上に表示される（Ｓ２０）。
【００３３】
これに対しユーザが「ＫＤＢ」のカードを選択すると、これを受けた画面生成部６０は（Ｓ２２）、当該プリペイドカードの額面選択を求める画面イメージを生成し、発行端末１４に送信する。
この結果、図１０に示すように、発行端末１４のディスプレイ３６上に額面選択画面が表示される（Ｓ２４）。
【００３４】
ここでユーザが、自分の保有金額以上の「３，０００円」を選択すると、これを受けた画面生成部６０は（Ｓ２６）、プリペイドカードの種類と額面の確認を求める画面イメージを生成し、図１１に示すように、発行端末１４のディスプレイ３６上に表示させる（Ｓ２８）。
これに対しユーザが「確認」ボタンを選択すると、これを受けた認証処理部６１は差額分の決済が必要であると判断し（Ｓ３０、Ｓ３２）、図１２に示すように、画面生成部６０を通じて差額である２，０００円の支払方法の選択を求める画面をディスプレイ３６上に表示させる（Ｓ３４）。
【００３５】
これに対しユーザが「現金」ボタンをタッチして現金決済を選択すると（Ｓ３６）、図示は省略したが、発行端末１４の現金投入口に現金を投入するように求めるメッセージが、現金投入イメージを示すイラストと共に画面表示される（Ｓ３８）。
これに従い、ユーザがカード発行端末１４の紙幣投入口７１や硬貨投入口７２に現金を投入すると、現金取扱ユニット３７のセンサが投入金額を読み取り、センターサーバ１２に金額情報を出力する。
【００３６】
センターサーバ１２の認証処理部６１は、この投入金額が差額代金以上であるか否かを判定する。そして、投入金額が差額代金を超えている場合には（Ｓ４０）、現金取扱ユニット３７に釣銭排出指令を発し、紙幣返却口７３や硬貨返却口７４から必要な釣銭を排出させると共に、プリペイドカード発行処理部６２に対してカード発行指令を出力する（Ｓ４２）。
もちろん、投入金額が差額代金と等しい場合にも、同様の指令が発せられる（Ｓ４０、Ｓ４２）。
これに対し、ユーザが投入した現金が必要金額に足りない場合には、その旨のメッセージがディスプレイ３６上に表示され、現金の追加投入が促される。
【００３７】
認証処理部６１からプリペイドカードの発行指令を受けたプリペイドカード発行処理部６２は、ユーザが操作している発行端末１４に必要な情報を送信し、カード発行部６６を通じて目的の専用プリペイドカードを発行させる。
すなわち、カードストッカ３９内に蓄積された紙製あるいはプラスチック製カードを一枚排出させ（Ｓ４４）、カード搬送機構４２によってカードプリンタ４３まで運び、その表面及び裏面に必要な印刷を施して専用プリペイドカードを形成する（Ｓ４６）。この専用プリペイドカードは、カード排出口７５からユーザに交付される（Ｓ４８）。
【００３８】
同時に、プリペイドカード発行処理部６２は、ＰＩＮ番号データベース４９内に格納された当該ＰＩＮ番号に対して使用済のフラグを立てる（Ｓ５０）。
この結果、ユーザが誤って使用済のオールマイティカード５１に基づいてプリペイドカードの発行を求めた場合でも、重複発行されることはない。
【００３９】
なお、ユーザが選択した専用プリペイドカードの額面が保有金額よりも低い場合、プリペイドカード発行処理部６２は、当該保有金額から額面を引いた残高を当該ＰＩＮ番号に関連付けてＰＩＮ番号データベース４９内に更新登録する。
この結果ユーザは、他の専用プリペイドカードを購入する際に、当該オールマイティカード５１の残額を利用することが可能となる。
また、例えば額面２，０００円のオールマイティカード５１を２枚使用して３，０００円の専用プリペイドカードを入手する場合には、一方のＰＩＮ番号については使用済のフラグが立てられると共に、他方のＰＩＮ番号については残高が１，０００円となるよう減額更新される。
【００４０】
また、プリペイドカード発行処理部６２は、プリペイドカード情報データベース６３内に当該売上情報を登録する（Ｓ５２）と共に、プリペイドカード発行事業者のサーバ１６に売上情報を送信する（Ｓ５４）。
この売上情報に基づき、後日、プリペイドカード発行事業者に対して売上代金から手数料を差し引いた金額分が送金される。
【００４１】
図１４は専用プリペイドカード７６の一例を示すものであり、表面（図１４（ａ））には当該プリペイドカード固有のイメージや額面が記載されており、裏面（図１４（ｂ））には当該プリペイドカード固有のカード番号が記載されている。
ユーザは、このカード番号を自己の携帯電話から入力した後、相手先の電話番号を続けて入力することにより、度数分の国際通話を楽しむことが可能となる。
【００４２】
ところで、一口に専用プリペイドカードといっても、国際通話カードやインターネット通信カード、Ｗｅｂマネーカードのように、カードに記載されたカード番号が重要であり、使用に際してカードの存在が前提とならないものと、テレホンカードやメトロカード、図書カードのように、カードに所定形式で記録されたデータが重要であり、使用に際してカードの存在が前提となるものとに大別される。
前者の場合には、カード自体はカード番号の担体に過ぎないため、レシートのような紙片でもってカード番号を発行することができるが、後者の場合には、一定のデータが所定の方式に従って磁気的あるいは電子的に記録されたカードの形式で発行する必要がある。
【００４３】
このため、例えば図８のカード選択場面においてユーザがメトロカードを選択した場合には、カード発行端末１４内のカードストッカ３９から空の（未使用の）磁気カードが排出される。この磁気カードは、カード搬送機構４２を介して磁気カード・リーダライタ４１まで運ばれた後、プリペイドカード発行処理部６２から送信されたメトロカード生成に必要なデータが磁気的に記録される。
あるいは、カードストッカ３９から空の（未使用の）ＩＣカードを排出させ、カード搬送機構４２を介してＩＣカード・リーダライタ４０まで運ばれたＩＣカードに対して、プリペイドカード発行処理部６２から送信されたメトロカード生成に必要なデータを電子的に記録することもできる。
【００４４】
図１２に示した決済方法選択画面において、ユーザがクレジットカード決済を選択した場合には、図示は省略したが、クレジットカード情報の入力を促すガイダンス画面がディスプレイ３６上に表示される。
これに従い、利用者が自己のクレジットカードの磁気記録部をスリット６８に挿入して矢印方向に摺動させると、スリット６８の内側に配置されたクレジットカードリーダ３８が磁気記録部に記録されたクレジットカード情報を読み取る。
この情報は、専用回線を介してセンターサーバ１２に送信される。
【００４５】
センターサーバ１２の認証処理部６１は、このクレジットカード情報をＣＡＦＩＳ等の決済ネットワークを介してクレジットカード会社のコンピュータシステム１８に送信し、当該クレジットカードを用いた２，０００円分の決済を要請する。
そして、クレジット会社のコンピュータシステム１８から決済完了の送信があった場合には、センターサーバ１２のプリペイドカード発行処理部６２は、上記と同様の手順に従いプリペイドカード情報を生成する。
なお、有効期限切れ等の理由でクレジットカード決済完了出力がない場合には、他の決済方法の選択が促される。
【００４６】
上記のオールマイティカード５１は、プラスチックや紙製のカード上にカード番号が印刷されたものであったが、磁気カードやＩＣチップ（ＩＣメモリやＣＰＵ）を内蔵したＩＣカードによってオールマイティカード５１を構成することもできる。
この場合、ユーザに配布されたオールマイティカード５１には、予めカード生成処理部４７によってＰＩＮ番号や他の必要情報が磁気的あるいは電子的手段によって記録されている。
【００４７】
このため、ユーザがコンビニ等に設置されたカード発行端末１４の磁気カード挿入口７０やＩＣカード挿入口６９にオールマイティカード５１を入れると、磁気カード・リーダライタ４１やＩＣカード・リーダライタ４０によってＰＩＮ番号が読み取られ、センターサーバ１２に送信されると同時に、認証処理部６１によるＰＩＮ番号の金額（残高）の確認処理が自動的に実行され、図８のプリペイドカード選択画面が表示される。
すなわち、ユーザはＰＩＮ番号をカード発行端末１４のタッチパネル３６上で入力する手間が省ける。
あとは、上記と同様の手順に従い、プリペイドカードの種類の選択、発行事業者の選択、額面の選択、差額分の決済種別の選択、差額分の決済処理を経ることにより、ユーザは目的のプリペイドカード７６を手に入れることができる。
【００４８】
なお、磁気カードやＩＣカードはそれ自体が記録媒体としての機能を備えているため、磁気カード・リーダライタ４１やＩＣカード・リーダライタ４０を介して当該オールマイティカード５１にプリペイドカード情報を追加的に記録することにより、そのままメトロカードやテレホンカードとして再利用することもできる。
この場合、予め磁気カードやＩＣカードの表面に印字スペースを設けておき、カード発行端末１４内のカードプリンタ４３を介して専用プリペイドカードの種別や有効度数、有効期限、カード番号等のデータを可視的に表示することが望ましい。
【００４９】
上記カード発行端末１４として、コンビニ店内に設置された既存のマルチメディア端末に必要な改良を施したものを利用することもできる。また、駅の券売機や銀行のＡＴＭにカード発行端末１４としての機能を追加させることも可能である。
さらには、ユーザの自宅や職場に設置されたパソコン２２をカード発行端末として利用することもできる。
この場合、パソコン２２のハードディスク内には、このシステムを実現するための専用のアプリケーションプログラムが事前にセットアップされる。
そして、このアプリケーションプログラムを起動することにより、パソコン２２のディスプレイ（ＣＲＴやＬＣＤ）が図５の表示部６４として、キーボードやマウスが入力部６５として、プリンタがカード発行部６６として機能するようになる。
【００５０】
まずユーザは、パソコン２２からインターネット４４経由でセンターサーバ１２のＷｅｂサイトにアクセスし、オールマイティカード５１に記載されたカード番号を入力してシステムにログインした後、オンラインによる専用プリペイドカードの発行を求める。
これを受けたセンターサーバ１２の認証処理部６１は、ユーザが入力したカード番号を基にＰＩＮ番号データベース４９内を検索し、該当のＰＩＮ番号に関連付けられた金額（残高）を認識する。この結果、画面生成部６０によって図８に示したようなカード種別選択画面を表示するためのＷｅｂページファイルが生成され、ユーザのパソコン２２に向けて送信される。
【００５１】
ここでユーザが「国際通話」をクリックすると、各通信事業者が発行している国際通話用プリペイドカードのイメージが列挙されたＷｅｂページが画面生成部６０より送信され、パソコン２２のディスプレイ上に表示される（図９参照）。
これに対しユーザが「ＫＤＢ」のカードをクリックすると、当該プリペイドカードの額面選択を求めるＷｅｂページが画面生成部６０より送信され、パソコン２２のディスプレイ上に表示される（図１０参照）。
ここでユーザが、自分の保有金額以上の「３，０００円」を選択すると、確認画面が表示された後、差額である２，０００円の支払方法の選択を求める画面が表示される（図１１、図１２参照）。ただし、この場合は現金による決済はできないため、現金以外のクレジットカードやプリペイドカード、デビットカード等、オンライン決済可能な方法が選択肢として列挙されることとなる。
【００５２】
この決済種別の中から、例えば「クレジットカード」をユーザが選択した場合には、センターサーバ１２の画面生成部６０からユーザのパソコン２２に対してクレジットカードの種類やカード番号、有効期限等の入力を求めるフォームが送信される。
これに対してユーザが必要事項を入力してセンターサーバ１２に返信すると、認証処理部６１は当該クレジットカード情報及び決済金額情報をクレジットカード会社のホストコンピュータ１８に送信し、クレジットカード決済の可否を照会する。
そして、同コンピュータ１８から肯定的な応答が送信された場合には、プリペイドカード発行処理部６２から必要な情報が画面生成部６０に出力され、パソコン２２のディスプレイ上にプリペイドカード番号が表示される。
ユーザは、ディスプレイに表示されたＷｅｂページをプリンタから出力することにより、プリペイドカードを取得できる。
【００５３】
あるいは、電子メールによってプリペイドカードを発行することもできる。
この場合、まず画面生成部６０からユーザのパソコン２２に対し、電子メールアドレス入力用のフォームが送信される。
ユーザがこのフォームに自己の電子メールアドレスを記述してセンターサーバ１２に返信すると、プリペイドカード発行処理部６２によってプリペイドカード番号が記述された電子メールが生成され、ユーザの電子メールアドレス宛に送信される。
ユーザは、当該電子メールをパソコン２２上で開封し、プリンタから出力することによって目的のプリペイドカードを取得できる。
【００５４】
ユーザが磁気カード型あるいはＩＣカード型のオールマイティカード５１を入手している場合で、パソコン２２に対応の磁気カード・リーダライタやＩＣカード・リーダライタが接続されている場合には、より簡便により広範囲のプリペイドカードを自宅において入手可能となる。
例えば、結婚式の引き出物として３，０００円分のＩＣカード型オールマイティカード５１を受け取ったユーザは、自宅のパソコン２２からインターネット４４経由でセンターサーバ１２のＷｅｂサイトにアクセスし、ＩＣカード・リーダライタにオールマイティカード５１を装填することにより、電子的に記録されたカード番号がセンターサーバ１２に送信される。
これを受けたセンターサーバ１２の認証処理部６１は、ユーザのパソコン２２から送信されたカード番号を基にＰＩＮ番号データベース４９内を検索し、該当のＰＩＮ番号に関連付けられた金額（残高）を認識する。この結果、画面生成部６０によって図８に示したようなカード種別選択画面を表示するためのＷｅｂページファイルが生成され、ユーザのパソコン２２に向けて送信される。
【００５５】
ここでユーザが「図書カード」をクリックすると、図書カードの額面選択を求めるＷｅｂページが画面生成部６０より送信され、パソコン２２のディスプレイ上に表示される（図１０参照）。
これに対しユーザが自分の保有金額以上の「５，０００円」を選択すると、確認画面が表示された後、差額である２，０００円の支払方法の選択を求める画面が表示される（図１１、図１２参照）。
【００５６】
この決済種別の中で「クレジットカード」をユーザが選択した場合には、センターサーバ１２の画面生成部６０からユーザのパソコン２２に対してクレジットカードの種類やカード番号、有効期限等の入力を求めるフォームが送信される。
これに対しユーザが必要事項を入力してセンターサーバ１２に返信すると、認証処理部６１は当該クレジットカード情報及び決済金額情報をクレジットカード会社のホストコンピュータ１８に送信し、クレジットカード決済の可否を照会する。
そして、同コンピュータ１８から肯定的な応答が送信された場合には、プリペイドカード発行処理部６２から必要な情報がパソコン２２に送信され、ＩＣカード・リーダライタを介してＩＣカード型オールマイティカード５１に上書きされる。以後、当該ＩＣカードは図書カードとしての機能を具備することとなる。
これに対し、有効期限切れ等の理由によって上記ホストコンピュータ１８から決済不可の応答を受けた場合には、他の決済方法の選択を求めるメッセージがパソコン２２のディスプレイ上に表示される。
【００５７】
ユーザが磁気カード型のオールマイティカード５１を取得した場合にも、上記と同様の手順により、磁気カード・リーダライタを介して磁気カード型オールマイティカード５１にプリペイドカード情報が格納され、特定のプリペイドカードとして機能することとなる。
このように、パソコン２２にＩＣカード・リーダライタや磁気ＩＣカード・リーダライタが接続されている場合、これらは図５の入力部６５及びカード発行部６６として機能することとなる。
【００５８】
ユーザが差額の決済手段としてプリペイドカードを選択した場合、ユーザはクレジットカード情報の代わりにプリペイドカード番号をキーボード入力する。
これを受けたセンターサーバ１２の認証処理部６１は、当該プリペイドカード番号及び決済金額情報をプリペイドカード発行者のホストコンピュータに送信し、決済の可否を照会する。
そして、同ホストコンピュータから肯定的な応答が送信された場合には、上記と同様のプリペイドカード発行処理が実行されることとなる。
これに対し、残高不足等の理由によって上記ホストコンピュータから決済不可の応答を受けた場合には、他の決済方法の選択を求めるメッセージがパソコン２２のディスプレイ上に表示される。
もちろんユーザは、自己の銀行口座からネットバンキングシステムを通じてセンターサーバ１２の運用者に差額分を振り込むことにより、決済を完了させることもできる。
【００５９】
【発明の効果】
この発明に係るプリペイドカード発行システムによれば、ユーザは端末から汎用プリペイドカードの番号を入力することにより、複数種類の専用プリペイドカードの中で自己の希望するものを端末側で自由に入手することが可能となり、しかも当該汎用カード番号に関連付けられた金額情報を専用プリペイドカード購入費用（交換費用）の決済に利用できることとなる。
この結果、ユーザに対してオールマイティなプリペイドカードを実質的に付与することが可能となる。
【図面の簡単な説明】
【図１】この発明に係るプリペイドカード発行システムの全体イメージを示す概念図である。
【図２】カード発行端末のハードウェア構成を示すブロック図である。
【図３】汎用プリペイドカードの発行処理に係るブロック図である。
【図４】汎用プリペイドカード（オールマイティカード）の一例を示す平面図である。
【図５】ユーザがオールマイティカードを用いて専用プリペイドカードを入手する際の機能構成を示すブロック図である。
【図６】プリペイドカード発行端末の外観を示す正面図である。
【図７】オールマイティカードに印刷されたカード番号の入力を求める画面表示例を示すレイアウト図である。
【図８】プリペイドカードの種別の選択を促す画面表示例を示すレイアウト図である。
【図９】各通信事業者が発行している国際通話用プリペイドカードが列挙された画面表示例を示すレイアウト図である。
【図１０】プリペイドカードの額面選択を求める画面表示例を示すレイアウト図である。
【図１１】プリペイドカードの額面確認画面の表示例を示すレイアウト図である。
【図１２】差額の支払方法の選択を求める画面の表示例を示すレイアウト図である。
【図１３】ユーザが専用プリペイドカードを入手する際の処理手順を示すフローチャートである。
【図１４】専用プリペイドカードの一例を示す平面図である。
【符号の説明】
１０  プリペイドカード発行システム
１２  センターサーバ
１４  カード発行端末
１６  専用プリペイドカードの発行者が管理するローカルサーバ
１８  クレジットカード会社が管理するホストコンピュータ
２０  汎用プリペイドカードの発注者が管理するパソコン
２２  ユーザが管理するパソコン
３６  タッチパネル付きディスプレ
３７  現金取扱ユニット
３８  クレジットカードリーダ
３９  カードストッカ
４０  ＩＣカード・リーダライタ
４１  磁気カード・リーダライタ
４２  カード搬送機構
４３  カードプリンタ
４４  インターネット
４５  受注処理部
４６  ＰＩＮ番号生成部
４７  カード生成処理部
４８  受注データベース
４９  ＰＩＮ番号データベース
５１  オールマイティカード
６０  画面生成部
６１  認証処理部
６２  プリペイドカード発行処理部
６３  プリペイドカード情報データベース
６４  表示部
６５  入力部
６６  カード発行部
６８  クレジットカード摺動用のスリット
６９  ＩＣカード挿入口
７０  磁気カード挿入口
７１  紙幣投入口
７２  硬貨投入口
７３  紙片返却口
７４  硬貨返却口
７５  カード排出口
７６  専用プリペイドカード
【図１】
2004157597.tif 000003
【図２】
2004157597.tif 000004
【図３】
2004157597.tif 000005
【図４】
2004157597.tif 000006
【図５】
2004157597.tif 000007
【図６】
2004157597.tif 000008
【図７】
2004157597.tif 000009
【図８】
2004157597.tif 000010
【図９】
2004157597.tif 000011
【図１０】
2004157597.tif 000012
【図１１】
2004157597.tif 000013
【図１２】
2004157597.tif 000014
【図１３】
2004157597.tif 000015
【図１４】
2004157597.tif 000016